(57)【要約】【課題】カメラボディの内部に部材が効率よく配置され、電池が滑らかに挿入できるカメラを提供することである。【解決手段】カメラボディ１０内部に、電池室２０をカメラの正位置撮影時の鉛直方向に対して、その上部を被写体側に傾斜させて配置し、電池室２０の外壁とカメラボディ１０の内壁との間の空間に、レリーズスイッチ４０、コマンドダイヤル５０、スロット６０等を、効率よく配置し、さらに、電池室２０の上部の傾斜方向と反対側に、開口部２１の縁に沿って設けられた軸回りに回転し、開口部２１を開閉可能な電池室蓋３０を、設けることにより実現した。【選択図】図２
2006078878.tif 000002
【特許請求の範囲】
【請求項１】
カメラボディ部と、
前記カメラボディ部の内部に設けられ、電池の挿入方向が、前記カメラボディ部の正位置撮影時の鉛直方向に対して傾斜して設定された電池室と、
前記電池室に前記電池を挿入する開口部と、
を備えたカメラ。
【請求項２】
請求項１に記載のカメラにおいて、
前記電池室は、その上部が被写体側に傾斜していること、
を特徴とするカメラ。
【請求項３】
請求項１又は請求項２に記載のカメラにおいて、
前記開口部は、前記開口部の縁に沿い、かつ、前記電池室の上部が傾斜する方向の反対側に設けられた軸回りに回転し、前記開口部を開閉可能な電池室蓋が設けられていること、
を特徴とするカメラ。
【請求項４】
請求項３に記載のカメラにおいて、
前記電池室の外壁と、前記カメラボディ部のケースの被写体側の内壁との間の空間に、前記電池室蓋のロック機構が配置されていること、
を特徴とするカメラ。
【請求項５】
請求項３又は請求項４に記載のカメラにおいて、
前記電池室蓋は、前記開口部を閉じた位置で、前記電池を押圧する突出部が設けられていること、
を特徴とするカメラ。
【請求項６】
請求項３から請求項５までのいずれか１項に記載のカメラにおいて、
前記電池室蓋は、前記電池の脱落を防止する脱落防止部が設けられていること、
を特徴とするカメラ。
【請求項７】
請求項２から請求項６までのいずれか１項に記載のカメラにおいて、
前記電池室の外壁と、前記カメラボディ部のケースの撮影者側の内壁との間の空間に、操作部の少なくとも一部が配置されていること、
を特徴とするカメラ。
【請求項８】
請求項２から請求項７までのいずれか１項に記載のカメラにおいて、
前記電池室の外壁と、前記カメラボディ部のケースの上部の内壁との間の空間に、前記カメラボディ部の外側に露出するレリーズスイッチ部の、少なくとも一部が配置されていること、
を特徴とするカメラ。
【請求項９】
請求項１から請求項８までのいずれか１項に記載のカメラにおいて、
前記電池室の外壁と、前記カメラボディ部のケースの撮影者側の内壁との間の空間に、着脱可能な記憶媒体を挿入する挿入部が配置されていること、
を特徴とするカメラ。
【請求項１０】
請求項９に記載のカメラにおいて、
前記挿入部は、大きさの異なる複数の前記記憶媒体を挿入可能に設けられていること、
を特徴とするカメラ。
【発明の詳細な説明】
【技術分野】
【０００１】
本発明は、カメラボディ内部に電池室を備えたカメラに関するものである。
【背景技術】
【０００２】
従来、電池室がカメラボディ内部に設けられているカメラでは、ホールド性の向上のために、カメラボディの被写体側から見て左側の面の一部を、被写体側に突出させたグリップ部を設け、この部分に電池室を配置し、カメラボディ底部から、カメラの正位置撮影時の鉛直方向に、電池を挿入するようなデザインが採用されてきた（例えば、特許文献１参照。）。
【０００３】
しかし、この種の従来のカメラは、操作性を向上させるために、レリーズスイッチや、コマンドダイヤル等を、グリップ部に配置しようとすると、カメラボディ内部の空間は電池室に制約を受けてしまうため、効率よく配置することが困難な場合があり、カメラが大型化したり、その構造が複雑化したりしてしまうことがあった。
【０００４】
また、従来のカメラでは、電池室を開閉する電池室蓋は、カメラボディ底部の開口部にヒンジ等を備えて設けられているものが多く、その場合、排出バネで浮いている電池を、電池蓋を閉じることによってカメラボディ底部から電池室に挿入するときに、電池の挿入方向と、電池室蓋を閉じる方向とのずれが大きいため、容易に電池を押し込むことが出来ないという問題があった。
【０００５】
【特許文献１】特開平９−８０６０３号公報
【発明の開示】
【発明が解決しようとする課題】
【０００６】
本発明の課題は、カメラボディ部のケースの内壁と電池室の外壁との間の空間に、部材が効率よく配置され、電池の挿入が容易なカメラを提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、カメラボディ部（１０）と、前記カメラボディ部（１０）の内部に設けられ、電池（７０）の挿入方向が、前記カメラボディ部（１０）の正位置撮影時の鉛直方向に対して傾斜して設定された電池室（２０）と、前記電池室（２０）に前記電池（７０）を挿入する開口部（２１）と、を備えたカメラである。
【０００８】
請求項２の発明は、請求項１に記載のカメラにおいて、前記電池室（２０）は、その上部が被写体側に傾斜していること、を特徴とするカメラである。
【０００９】
請求項３の発明は、請求項１又は請求項２に記載のカメラにおいて、前記開口部（２１）は、前記開口部（２１）の縁に沿い、かつ、前記電池室（２０）の上部が傾斜する方向の反対側に設けられた軸（３１）回りに回転し、前記開口部（２１）を開閉可能な電池室蓋（３０）が設けられていること、を特徴とするカメラである。
【００１０】
請求項４の発明は、請求項３に記載のカメラにおいて、前記電池室（２０）の外壁と、前記カメラボディ部（１０）のケース（１１）の被写体側の内壁との間の空間に、前記電池室蓋（３０）のロック機構（３２）が配置されていること、を特徴とするカメラである。
【００１１】
請求項５の発明は、請求項３又は請求項４に記載のカメラにおいて、前記電池室蓋（３０）は、前記開口部（２１）を閉じた位置で、前記電池（７０）を押圧する突出部（３３）が設けられていること、を特徴とするカメラである。
【００１２】
請求項６の発明は、請求項３から請求項５までのいずれか１項に記載のカメラにおいて、前記電池室蓋（３０）は、前記電池（７０）の脱落を防止する脱落防止部（３４）が設けられていること、を特徴とするカメラである。
【００１３】
請求項７の発明は、請求項２から請求項６までのいずれか１項に記載のカメラにおいて、前記電池室（２０）の外壁と、前記カメラボディ部（１０）のケース（１１）の撮影者側の内壁との間の空間に、操作部（５０）の少なくとも一部が配置されていること、を特徴とするカメラである。
【００１４】
請求項８の発明は、請求項２から請求項７までのいずれか１項に記載のカメラにおいて、前記電池室（２０）の外壁と、前記カメラボディ部（１０）のケース（１１）の上部の内壁との間の空間に、前記カメラボディ部（１０）の外側に露出するように設けられたレリーズスイッチ部（４０）の、少なくとも一部が配置されていること、を特徴とするカメラである。
【００１５】
請求項９の発明は、請求項１から請求項８までのいずれか１項に記載のカメラにおいて、前記電池室（２０）の外壁と、前記カメラボディ部（１０）のケース（１１）の撮影者側の内壁との間の空間に、着脱可能な記憶媒体を挿入する挿入部（６０）が配置されていること、を特徴とするカメラである。
【００１６】
請求項１０の発明は、請求項９に記載のカメラにおいて、前記挿入部（６０）は、大きさの異なる複数の前記記憶媒体を挿入可能に設けられていること、を特徴とするカメラである。
【発明の効果】
【００１７】
本発明によれば、以下の効果を奏することができる。
（１）電池室は、電池の挿入方向が、カメラの正位置撮影時の鉛直方向に対して傾斜して設定されているので、カメラボディ部の内壁と電池室の外壁との間に、部材を効率よく配置可能な空間ができる。
【００１８】
（２）電池室は、上部が被写体側に傾斜しているため、傾斜により生じたカメラボディ部の内壁と電池室の外壁との間の空間に、ロック機構、レリーズスイッチ部、操作部、挿入部等の部材を配置することができ、カメラボディ部の内部の空間が、効率よく活用される。
【００１９】
（３）電池室蓋は、開口部の縁に沿い、かつ、電池室の上部が傾斜する方向の反対側に設けられた軸の軸回りに回転し、開口部を開閉可能であるので、電池を電池室に挿入する方向と、電池室蓋を閉じる方向のずれが小さくなり、使用者は、電池の挿入を容易に行える。
【００２０】
（４）電池室蓋は、開口部を閉じた位置で、電池を押圧する突出部が設けられているので、電池室蓋を閉じると同時に、電池を押圧し、支持することができる。
【００２１】
（５）電池室蓋は、電池の脱落を防止する脱落防止部が設けられているので、カメラが正位置撮影時の状態で電池室蓋が開いたときに、電池が電池室から脱落することを防止できる。
【００２２】
（６）挿入部は、カメラボディ部の内部に、電池室を傾斜させたことにより生じた正位置撮影時の鉛直方向に沿って広さが変化する空間に、記憶媒体の大きさに応じて複数配置することができるので、カメラボディ内部の空間を効率よく使用することができる。
【発明を実施するための最良の形態】
【００２３】
本発明は、カメラボディ部のケースの内壁と電池室の外壁との間の空間に、部材が効率よく配置されたカメラを提供するという目的を、カメラボディ部の内部に、電池室の上部をカメラの正位置撮影時の鉛直方向に対して被写体側に傾斜させて配置することにより実現した。
さらに、本発明は、電池が容易に挿入できるカメラを提供するという目的を、電池室蓋を、電池室の開口部の縁に沿い、かつ、電池室の上部の傾斜した方向と反対側に設けられた軸回りに回転し、開口部を開閉可能に配置することにより実現した。
【実施例】
【００２４】
図１は、本発明による実施例のカメラの正位置撮影時の透視図である。図１（ａ）は、被写体側から見た透視図であり、図１（ｂ）は、カメラ上部から見た透視図である。
図２は、本発明による実施例のカメラの電池室付近の断面図である。図２（ａ）は、正位置撮影時の断面図であり、図２（ｂ）は、カメラの正位置撮影時の上下を逆にした状態での電池挿入時の断面図である。
なお、以下、鉛直方向とは、カメラの正位置撮影時の鉛直方向を示すものとする。
本実施例のカメラは、カメラボディ１０に、電池室２０、電池室蓋３０、レリーズスイッチ４０、コマンドダイヤル５０、スロット部６０等を備えたレンズ一体式のデジタルカメラである。
【００２５】
カメラボディ１０は、その外装をカバーするケース１１を有し、図１に示すように、カメラボディ１０の、被写体側から見て左側には、被写体側に突出したグリップ部１２が設けられている。グリップ部１２は、カメラのホールド性を向上させる目的で設けられた部分であり、突出したことによってカメラボディ１０内部に生じた空間に、電池室２０が設けられている。
電池室２０は、図１及び図２に示すように、電池７０が挿入される略箱型の中空の部分であり、カメラボディ１０の内部に設けられ、鉛直方向に対して、その上部が、被写体側に傾斜して設けられている。また、電池室２０は、ケース１１と一体成型でもよいし、別部材をケース１１の内側に固定する等により設けてもよい。
開口部２１は、図２に示すように、カメラボディ１０の底部に設けられ、カメラ底部から見て略矩形の開口部分であり、電池７０は、この開口部２１から電池室２０に挿入される。
排出バネ２２は、電池室２０内の、開口部２１と対向する面に設けられ、電池７０をその排出方向に付勢する付勢部材である。
【００２６】
電池室蓋３０は、開口部２１を開閉する略矩形の板状の部材であり、ヒンジ３１、ロック機構３２、突出部３３、脱落防止部３４を備えている。
ヒンジ３１は、開口部２１の縁に沿い、かつ、電池室２０の上部が傾斜した方向の反対側（撮影者側）に設けられた軸を備えた部材であり、電池室蓋３０は、この軸回りに回転し、開口部２１を開閉可能である。
ロック機構３２は、電池室２０の外壁とケース１１の被写体側の内壁との空間の下部に設けられ、電池室蓋３０が開口部２１を閉じたときに、電池室蓋３０をロックする機構であり、例えばクリック機構等が用いられている。
突出部３３は、電池室蓋３０が閉じた位置で、図２（ａ）に示すように、電池室蓋３０の電池室２０側に、ヒンジ３１側が厚くなるように形成された斜面を有し、その斜面が電池７０の端面に沿い、電池７０を押圧し、支持する突出した部分である。
脱落防止部３４は、電池室蓋３０の電池室２０側の中心よりもヒンジ３１側に設けられ、略矩形の凹型形状であり、そのロック機構３２側に、突出部３３の斜面と略直角をなす壁面３４ａを有する部分である。脱落防止部３４は、カメラが正位置撮影時の状態で電池室蓋３０が開いたときに、電池７０の端面が壁面３４ａに引っかかることによって電池の脱落を防止する部分である。
【００２７】
レリーズスイッチ４０は、レリーズ操作を行う部分であり、図２に示すように、カメラボディ１０の外側に露出し、その少なくとも一部が、ケース１１の被写体側の上部の内壁と電池室２０の外壁との間の空間に配置されている。
コマンドダイヤル５０は、露出補正等の撮影に関する様々な設定を行う操作部であり、少なくとも一部はカメラボディ１０の外側に突出し、ケース１１の撮影者側の内壁と電池室２０の外壁との間の空間に配置されている。
スロット部６０は、ケース１１の撮影者側の内壁と電池室２０の外壁との間の空間に配置され、着脱可能な不図示の記憶媒体をカメラボディ１０に挿入する挿入部であり、その断面は、図２に示すように、鉛直方向に長い略矩形である。スロット６０ａは、スロット６０ｂよりも大きく、例えば、スロット６０ａには、コンパクトフラッシュ（登録商標）カードが挿入され、スロット６０ｂには、ＳＤ（商標）カードが挿入される。
電池室２０を傾斜させることにより生じた鉛直方向に広さが変化する空間の大きさに合わせ、スロット６０ａは、撮影者側に配置され、スロット６０ｂは、電池室２０側に配置されている。
電池７０は、略箱型であり、例えば、リチウムイオン電池等であり、電池室２０に挿入される。
【００２８】
（比較例）
図３は、比較例のカメラの電池室付近の断面図である。図３（ａ）は、正位置撮影時の断面図であり、図３（ｂ）は、電池挿入時の断面図である。
比較例のカメラは、電池室２００が、カメラの正位置撮影時の鉛直方向に配置されていること、及び、電池室蓋３００は、実施例で示した電池室蓋３０と略同様であり、略矩形の板状の部材であるが、突出部３３、脱落防止部３４を有していない点が、実施例と相違する。
ここで、図３（ａ）に示すように、グリップ部１２の内部に、電池室２００を、鉛直方向に配置すると、電池室２００の外壁とケース１１の内壁との間の空間に、レリーズスイッチ４０、コマンドダイヤル５０等を操作性やホールド性を考慮した位置に配置するには、電池室２００の空間に制約を受け、効率のよい配置ができず、カメラが大型化したり、カメラボディ１０内部の構造が複雑になったりする。
また、図３（ｂ）に示すように、使用者が、電池室蓋３００を閉じるときに、電池７０の挿入方向と電池室蓋３００を閉じる方向とのずれが大きいため、電池７０の挿入が困難な場合があった。
【００２９】
（実施例の効果）
ここで、本発明による実施例のカメラの効果について説明する。
実施例のカメラは、図２（ａ）に示すように、電池室２０の上部を、鉛直方向に対して被写体側に傾斜させることにより、電池室２０の外壁とケース１１の内壁との間に、鉛直方向の広さに変化のある空間が生じる。
レリーズスイッチ４０は、その少なくとも一部を、図２（ａ）に示すように、電池室２０の外壁の上部とケース１１の被写体側の内壁との間の空間に配置されることにより、比較例のカメラに比べ、操作性のよい位置に配置できるうえに、カメラボディ１０内部の空間を効率よく使用できる。
次に、コマンドダイヤル５０とスロット部６０は、電池室２０の外壁とケース１１の撮影者側の内壁との間の空間に配置され、電池室蓋３０のロック機構３２は、電池室２０の外壁とケース１１の被写体側の内壁との間の空間の下部に配置されることにより、カメラボディ１０内部の空間に効率よく配置することができる。
【００３０】
また、ヒンジ３１は、開口部２１の縁に沿い、かつ、電池室２０の上部が傾斜する方向と反対側に設けられることにより、電池７０の挿入方向と、電池室蓋３０を閉じる方向のずれが、比較例のカメラに比べ、小さくなる。よって、使用者は、図２（ｂ）に示すように、電池室蓋３０を閉じることにより、電池室２０への挿入時に排出バネ２２で浮いている電池７０を押し込むことができ、電池７０を容易に挿入することができる。
【００３１】
突出部３３は、図２（ａ）に示すように、電池７０を電池室２０に挿入し、電池室蓋３０を閉じたときに、電池７０を挿入方向に押圧し、電池７０を所定の位置で支持することができる。
【００３２】
さらに、例えば、カメラが正位置撮影時の状態で、電池室蓋３０が開いたとする。
図４は、実施例のカメラにおいて、正位置撮影時に電池室蓋が開いた状態を示す。
このようなとき、比較例のカメラには、電池７０の脱落を防止する機構は備えられていないため、電池７０は脱落してしまう。
これに対し、実施例のカメラでは、図４に示すように、脱落防止部３４の壁面３４ａに電池７０の端面が引っかかるため、電池７０が脱落することを防止できる。
さらに、図２（ｂ）に示すように、電池７０を挿入し、電池室蓋３０を閉じるときに、電池７０の端面が脱落防止部３４に引っかかるので、使用者は、電池７０の挿入が容易に行える。
加えて、脱落防止部３４は、突出部３３の斜面と略直角をなす壁面３４ａを有する凹型形状として設けることにより、形状を簡単にすることができ、成形も容易である。
【００３３】
（変形例）
以上説明した実施例に限定されることなく、種々の変形や変更が可能であって、それらも本発明の均等の範囲内である。
（１）本実施例のカメラは、レンズ一体式のデジタルカメラである例を示したが、これに限らず、電池室がカメラボディ内部に配置されたカメラであればよく、例えば、レンズ一体式のフィルムカメラでもよい。また、レンズ交換式の一眼レフカメラ等でもよい。
【００３４】
（２）本実施例のカメラにおいて、突出部３３は、電池室蓋３０の電池室２０側に、ヒンジ３１側が厚くなるように形成された斜面を有し、その斜面は、電池室蓋３０が閉じた位置で、電池７０の端面に沿い、電池７０を押圧し、支持する突出した部分である例を示したが、これに限らず、電池室蓋３０が閉じた位置で、電池７０を押圧する形状であればよく、例えば、電池７０の挿入方向に突出した板状の部材等でもよい。
【００３５】
（３）本実施例のカメラにおいて、脱落防止部３４は、電池室蓋３０の電池室２０側の面の中心よりもヒンジ３１側に形成され、そのロック機構３２側に突出部３３の斜面と略直角をなす壁面３４ａを有する凹型形状である例を示したが、これに限らず、カメラが正位置撮影時の状態で電池室蓋３０が開いたときに、電池７０の脱落を防止できる形状であればよく、例えば、カメラが正位置撮影時の状態で電池室蓋３０が開いたときに、脱落した電池７０の端面が引っかかる、板状の突起等でもよい。
また、突出部３３と脱落防止部３４の機能を兼ね備えた突起や段差を設けてもよい。
【００３６】
（４）本実施例のカメラにおいて、電池７０は、略箱型のリチウムイオン電池である例を示したが、これに限らず、例えば、略円筒形の単三型乾電池等でもよい。
このとき、電池室２０及び電池室蓋３０は、電池７０の形状に応じた形状とすればよい。
【００３７】
（５）本実施例のカメラにおいて、電池室２０は、その上部が被写体側に傾斜する例を示したが、これに限らず、例えば、撮影者側に傾斜させてもよいし、撮影者から見てカメラの正位置撮影時の左右方向に傾斜させてもよい。
【００３８】
（６）本実施例のカメラにおいて、記憶媒体は、コンパクトフラッシュ（登録商標）カードと、ＳＤ（商標）カードである例を示したが、これに限らず、例えば、大きさの異なる各種の記憶媒体であるスマートメディア（商標）、マルチメディアカード（商標）、メモリースティック（商標）等でもよい。
【図面の簡単な説明】
【００３９】
【図１】本発明による実施例のカメラの正位置撮影時の透視図である。
【図２】本発明による実施例のカメラの電池室付近の断面図である。
【図３】比較例のカメラの電池室付近の断面図である。
【図４】本実施例のカメラにおいて、正位置撮影時に電池室蓋が開いた状態を示す図である。
【符号の説明】
【００４０】
１０  カメラボディ
１１  ケース
１２  グリップ部
２０  電池室
２１  開口部
２２  排出バネ
３０  電池室蓋
３１  ヒンジ
３２  ロック機構
３３  突出部
３４  脱落防止部
３４ａ  壁面
４０  レリーズスイッチ
５０  コマンドダイヤル
６０  スロット部
７０  電池
２００  電池室
３００  電池室蓋
【図１】
2006078878.tif 000003
【図２】
2006078878.tif 000004
【図３】
2006078878.tif 000005
【図４】
2006078878.tif 000006